(57)【要約】【課題】高齢者の健康維持やリハビリテーション等の目的のために階段の昇降運動を活用しようとした場合、対象者によって必要な負荷が異なるため、これに対応する機構が求められていた。【解決手段】足腰の強化やリハビリテーションに利用される機器に於いて、昇降する階段部分を有し、該階段部分は昇段部分と踊り場部分と降段部分から構成され、該階段部分及び該降段部分の踏み板は夫々角度調整が可能であり、対象者によって負荷の調整が可能であることを特徴とするリハビリテーション機器と、これを用いて昇段部分から階段を登り、降段部分を降りる運動を行い或いは反復することで足腰の強化やリハビリテーションを行うことを特徴とするリハビリテーション機器の使用方法を提供する。【選択図】図１
2019170908.tif 000002
【特許請求の範囲】
【請求項１】
足腰の強化やリハビリテーションに利用される機器であって、
昇降する階段部分を有し、
該階段部分は昇段部分と踊り場部分と降段部分から構成され、
該階段部分及び該降段部分の踏み板は夫々角度調整が可能であり、対象者によって負荷の調整が可能であることを特徴とする、
リハビリテーション機器。
【請求項２】
該昇段部分及び該降段部分は、
多段階の角度調整が可能であることを特徴とする、
請求項１記載のリハビリテーション機器。
【請求項３】
該昇段部分及び該降段部分の角度調整段数は、
３段階又は４段階の角度調整が可能であることを特徴とする、
請求項２記載のリハビリテーション機器。
【請求項４】
該昇段部分及び該降段部分は、
昇降方向に対して奥側に設置された固定軸と、
昇降方向に対して手前側に設置された角度設定軸とを有し、
さらに踏み板は角度設定軸に対応する複数の固定穴を有しており、
該固定穴を選択して角度設定軸を固定することにより該昇段部分及び該降段部分の角度調整を行うことを特徴とする、
請求項１乃至３の何れか一に記載のリハビリテーション機器。
【請求項５】
該固定軸は踏み板の両側を１軸で固定する形態であり、
該角度設定軸は踏み板の両側を夫々別個に固定する形態であり、
該固定穴を選択して角度設定軸を固定することにより該昇段部分及び該降段部分の角度調整を行うことを特徴とする、
請求項４記載のリハビリテーション機器。
【請求項６】
該昇段部分と該降段部分の調整角度は異なって構成され、
昇段部分の角度が降段時の角度より大きくなるように設定されていることを特徴とする、
請求項１乃至５の何れか一に記載のリハビリテーション機器。
【請求項７】
該昇段部分の調整角度は３度乃至１０度の範囲で設定され、
該降段部分の調整角度２度乃至７．５度の範囲で設定されていることを特徴とする、
請求項６記載のリハビリテーション機器。
【請求項８】
該昇段部分と該降段部分の段数は同数で構成され、
且つ、段数は夫々偶数に設定されていることを特徴とする、
請求項１乃至７の何れか一に記載のリハビリテーション機器。
【請求項９】
該昇段部分と該降段部分の段数は同数で構成され、
且つ、段数は夫々４段又は６段に設定されていることを特徴とする、
請求項８記載のリハビリテーション機器。
【請求項１０】
該リハビリテーション機器は、
さらに手摺部分を有することを特徴とする、
請求項１乃至９の何れか一に記載のリハビリテーション機器。
【請求項１１】
該リハビリテーション機器は、
昇段部分、踊り場部分、降段部分及び手摺部分が夫々の部品に分解・組立が可能であることを特徴とする、
請求項１乃至１０の何れか一に記載のリハビリテーション機器。
【請求項１２】
該リハビリテーション機器の昇段部分及び降段部分の踏み板部品は、
縞鋼板を用いたことを特徴とする、
請求項１乃至１１の何れか一に記載のリハビリテーション機器。
【請求項１３】
請求項１乃至１２に記載の足腰の強化やリハビリテーションに利用される機器の使用方法であって、
昇降する階段部分を有し、
該階段部分は昇段部分と踊り場部分と降段部分から構成され、
該階段部分及び該降段部分の踏み板は夫々角度調整が可能であり、対象者によって負荷の調整が可能であるリハビリテーション機器を用い、
昇段部分から階段を登り、降段部分を降りる運動を行い或いは反復することで足腰の強化やリハビリテーションを行うことを特徴とする、
リハビリテーション機器の使用方法。
【発明の詳細な説明】
【技術分野】
【０００１】
本発明は、足腰の強化やリハビリテーションに利用されるリハビリテーション機器及びその使用方法に関するものである。
【背景技術】
【０００２】
高齢者等にとって健康を維持し寿命を伸ばすためにも足腰の強化は非常に重要である。また、傷病等でリハビリテーションが必要な人も多い。それらの需要に応えるため、様々な機器が提案されている。
【０００３】
また、高齢者や傷病等で階段の昇降等が困難な人も多く、これを補助する機構等も提案されている。
【先行技術文献】
【特許文献】
【０００４】
【特許文献１】特開２０１１ー０４２９４０号公報
【特許文献２】特開２００６ー３４６２３９号公報
【発明の概要】
【発明が解決しようとする課題】
【０００５】
階段の昇降は足腰の強化やリハビリテーションに非常に有効な運動である。しかしながら、一般には既存の建物や公園施設等に存在する階段を活用して昇降運動するといったことは行われているものの、かかる運動を積極的に活用しようとする機器は提案されていない。
【０００６】
また、高齢者の健康維持やリハビリテーション等の目的のために階段の昇降運動を活用しようとした場合、対象者によって必要な負荷が異なるため、これに対応する機構が必要であり、そのための機構が求められていた。
【０００７】
さらに、高齢者やリハビリテーションが必要な人が安全に使用できる構造も当然に必要である。
【課題を解決するための手段】
【０００８】
本発明は、足腰の強化やリハビリテーションに利用される機器に於いて、昇降する階段部分を有し、該階段部分は昇段部分と踊り場部分と降段部分から構成され、該階段部分及び該降段部分の踏み板は夫々角度調整が可能であり、対象者によって負荷の調整が可能であることを特徴とするリハビリテーション機器であり、これを用いて昇段部分から階段を登り、降段部分を降りる運動を行い或いは反復することで足腰の強化やリハビリテーションを行うことを特徴とするリハビリテーション機器の使用方法である。
【０００９】
また本発明は、該昇段部分及び該降段部分が多段階の角度調整が可能であることを特徴とする。ここで、該昇段部分及び該降段部分の角度調整段数は３段階又は４段階とすることが望ましい。
【００１０】
また本発明は、該昇段部分及び該降段部分が、昇降方向に対して奥側に設置された固定軸と、昇降方向に対して手前側に設置された角度設定軸とを有し、さらに踏み板は角度設定軸に対応する複数の固定穴を有しており、該固定穴を選択して角度設定軸を固定することにより該昇段部分及び該降段部分の角度調整を行うことを特徴とする。
【００１１】
また本発明は、該固定軸が踏み板の両側を１軸で固定する形態であり、該角度設定軸は踏み板の両側を夫々別個に固定する形態であり、該固定穴を選択して角度設定軸を固定することにより該昇段部分及び該降段部分の角度調整を行うことを特徴とする。
【００１２】
また本発明は、該昇段部分と該降段部分の調整角度が異なって構成され、昇段部分の角度が降段時の角度より大きくなるように設定されていることを特徴とする。ここで、該昇段部分の調整角度は３度乃至１０度の範囲で設定され、該降段部分の調整角度２度乃至７．５度の範囲で設定されることが望ましい。
【００１３】
また本発明は、該昇段部分と該降段部分の段数が同数で構成され、且つ、段数は夫々偶数に設定されていることを特徴とする。ここで、段数は夫々４段又は６段とすることが好ましい。
【００１４】
また本発明は、該リハビリテーション機器がさらに手摺部分を有することを特徴とする。
【００１５】
また本発明は、該リハビリテーション機器が昇段部分、踊り場部分、降段部分及び手摺部分が夫々の部品に分解・組立が可能であることを特徴とする。
【００１６】
また本発明は、該リハビリテーション機器の昇段部分及び降段部分の踏み板部品に縞鋼板を用いたことを特徴とする。
【発明の効果】
【００１７】
本発明に係るリハビリテーション機器及びその使用方法は、簡便な構成で、安全が確保され、効果的に対象者が必要とする負荷に対応して負荷の調整が可能なリハビリテーション機器及びその使用方法を提供することが出来、その効果は大である。
【図面の簡単な説明】
【００１８】
【図１】図１は、本発明に係るリハビリテーション機器の例を示す図面である。
【発明を実施するための形態】
【００１９】
本発明は、足腰の強化やリハビリテーションに利用される機器に於いて、昇降する階段部分を有し、該階段部分は昇段部分と踊り場部分と降段部分から構成され、該階段部分及び該降段部分の踏み板は夫々角度調整が可能であり、対象者によって負荷の調整が可能であることを特徴とするリハビリテーション機器であり、これを用いて昇段部分から階段を登り、降段部分を降りる運動を行い或いは反復することで足腰の強化やリハビリテーションを行うことを特徴とするリハビリテーション機器の使用方法である。
【００２０】
本発明に係るリハビリテーション機器及びその使用方法は、簡便な構成で、安全が確保され、効果的に対象者が必要とする負荷に対応して負荷の調整が可能なリハビリテーション機器及びその使用方法を提供することが出来る。
【００２１】
また本発明は、該昇段部分及び該降段部分が多段階の角度調整が可能であることを特徴とする。ここで、該昇段部分及び該降段部分の角度調整段数は３段階又は４段階とすることが望ましい。
【００２２】
かかる構成とすることにより、階段の踏み板の角度を調整することにより昇降運動時の負荷を適切に調整することができるようになった。なお、角度調整段数はむやみに多段にする必要がないことと、角度設定軸の設置スペースの関係から、３段階又は４段階とすることが望ましい。
【００２３】
また本発明は、該昇段部分及び該降段部分が、昇降方向に対して奥側に設置された固定軸と、昇降方向に対して手前側に設置された角度設定軸とを有し、さらに踏み板は角度設定軸に対応する複数の固定穴を有しており、該固定穴を選択して角度設定軸を固定することにより該昇段部分及び該降段部分の角度調整を行うことを特徴とする。
【００２４】
かかる構成とすることにより、踏み板の固定の安全性を確保しつつ角度調整が可能となる。
【００２５】
また本発明は、該固定軸が踏み板の両側を１軸で固定する形態であり、該角度設定軸は踏み板の両側を夫々別個に固定する形態であり、該固定穴を選択して角度設定軸を固定することにより該昇段部分及び該降段部分の角度調整を行うことを特徴とする。
【００２６】
かかる構成とすることにより、固定軸が貫通しているから角度調整時にも踏み板が落下するリスクがなく、安全に角度調整作業が可能となった。
【００２７】
また本発明は、該昇段部分と該降段部分の調整角度が異なって構成され、昇段部分の角度が降段時の角度より大きくなるように設定されていることを特徴とする。ここで、該昇段部分の調整角度は３度乃至１０度の範囲で設定され、該降段部分の調整角度２度乃至７．５度の範囲で設定されることが望ましい。
【００２８】
昇降運動においては、昇段時と降段時の負荷は同一ではなく、また下肢と次の踏み板との位置関係から昇段時よりも降段時に事故等のリスクが高い。前記のように非対称な構成とすることでこれに対応し、リスクを低減することが可能となった。
【００２９】
また本発明は、該昇段部分と該降段部分の段数が同数で構成され、且つ、段数は夫々偶数に設定されていることを特徴とする。ここで、段数は夫々４段又は６段とすることが好ましい。また本発明は、該リハビリテーション機器が昇段部分、踊り場部分、降段部分及び手摺部分が夫々の部品に分解・組立が可能であることを特徴とする。
【００３０】
段数を夫々偶数にすることにより、左右の足に均等に負荷をかけることができる。また、スペースの関係等から段数は夫々４段又は６段とするのがよい。本発明に係るリハビリテーション機器は、簡便に分解組立が可能で、例えば高齢者施設のホール等に容易に設置でき、また撤去も可能である。そのため、その設置面積も適正であることが必要であり、前記の段数が望ましい。また、この段数はリハビリ用の負荷としても適正なものである。
【００３１】
また本発明は、該リハビリテーション機器がさらに手摺部分を有することを特徴とする。これにより、負荷運動時の転倒リスクを低減することができる。
【００３２】
また本発明は、該リハビリテーション機器の昇段部分及び降段部分の踏み板部品に縞鋼板を用いたことを特徴とする。
【００３３】
縞鋼板は剛性が高く踏み板及び機器全体の強度を保持するのに適しているだけでなく、表面の縞状構造が滑り止めとなり本機器の安全性向上に役立つ。
【実施例１】
【００３４】
図１は、本発明に係るリハビリテーション機器の例を示す図面である。本実施例に於いては、図面に示された形状及び寸法によりリハビリテーション機器を構成した。
【００３５】
本実施例に於いては、昇段部分１１、踊り場部分１２、降段部分１３、手摺部分１４及び土台部分１５からなるリハビリテーション機器を作成した。昇段部分及び降段部分の縞鋼板を用いた踏み板は、夫々４段を備えるようにした。
【００３６】
昇段部分及び降段部分の踏み板は夫々３段階の調整が可能な形態としている。その３段階の中央の角度設定軸を選択した場合に、昇段部分に於いては調整角度が７．５度、降段部分に於いては調整角度が５度となるようにした。勿論、これらの設定は一実施例であって、本発明はこの構成に限定されるものではない。
【００３７】
本実施例のリハビリテーション機器は、簡便な構成で、安全が確保され、効果的に対象者が必要とする負荷に対応して負荷の調整が可能であった。また安全に且つ対象者に応じて適正な負荷をかけることのできるリハビリテーション機器の利用方法を提供できた。
【産業上の利用可能性】
【００３８】
以上述べてきたように本発明に係るリハビリテーション機器及びその使用方法は、簡便な構成で、安全が確保され、効果的に対象者が必要とする負荷に対応して負荷の調整が可能なリハビリテーション機器及びその使用方法を提供することが出来、その産業上の利用可能性は大である。
【符号の説明】
【００３９】
１１    昇段部分
１２    踊り場部分
１３    降段部分
１４    手摺部分
１５    土台部分
【図１】
2019170908.tif 000003
【手続補正書】
【提出日】平成31年3月21日(2019.3.21)
【手続補正１】
【補正対象書類名】特許請求の範囲
【補正対象項目名】全文
【補正方法】変更
【補正の内容】
【特許請求の範囲】
【請求項１】
足腰の強化やリハビリテーションに利用される機器であって、
昇降する階段部分を有し、
該階段部分は昇段部分と踊り場部分と降段部分から構成され、
該階段部分及び該降段部分の踏み板は夫々角度調整が可能であり、且つ、踊り場部分の踏み板はその角度が一定であり、昇段過程及び降段過程に於いて踏み板の角度を変更することにより、対象者によって負荷の調整が可能であることを特徴とする、
リハビリテーション機器。
【請求項２】
該昇段部分及び該降段部分は、
多段階の角度調整が可能であることを特徴とする、
請求項１記載のリハビリテーション機器。
【請求項３】
該昇段部分及び該降段部分の角度調整段数は、
３段階又は４段階の角度調整が可能であることを特徴とする、
請求項２記載のリハビリテーション機器。
【請求項４】
該昇段部分及び該降段部分は、
昇降方向に対して奥側に設置された固定軸と、
昇降方向に対して手前側に設置された角度設定軸とを有し、
さらに踏み板は角度設定軸に対応する複数の固定穴を有しており、
該固定穴を選択して角度設定軸を固定することにより該昇段部分及び該降段部分の角度調整を行うことを特徴とする、
請求項１乃至３の何れか一に記載のリハビリテーション機器。
【請求項５】
該固定軸は踏み板の両側を１軸で固定する形態であり、
該角度設定軸は踏み板の両側を夫々別個に固定する形態であり、
該固定穴を選択して角度設定軸を固定することにより該昇段部分及び該降段部分の角度調整を行うことを特徴とする、
請求項４記載のリハビリテーション機器。
【請求項６】
該昇段部分と該降段部分の調整角度は異なって構成され、
昇段部分の角度が降段部分の角度より大きくなるように設定されていることを特徴とする、
請求項１乃至５の何れか一に記載のリハビリテーション機器。
【請求項７】
該昇段部分の調整角度は３度乃至１０度の範囲で設定され、
該降段部分の調整角度は２度乃至７．５度の範囲で設定されていることを特徴とする、
請求項６記載のリハビリテーション機器。
【請求項８】
該昇段部分と該降段部分の段数は同数で構成され、
且つ、段数は夫々偶数に設定されていることを特徴とする、
請求項１乃至７の何れか一に記載のリハビリテーション機器。
【請求項９】
該昇段部分と該降段部分の段数は同数で構成され、
且つ、段数は夫々４段又は６段に設定されていることを特徴とする、
請求項８記載のリハビリテーション機器。
【請求項１０】
該リハビリテーション機器は、
さらに手摺部分を有することを特徴とする、
請求項１乃至９の何れか一に記載のリハビリテーション機器。
【請求項１１】
該リハビリテーション機器は、
昇段部分、踊り場部分、降段部分及び手摺部分が夫々の部品に分解・組立が可能であることを特徴とする、
請求項１０記載のリハビリテーション機器。
【請求項１２】
該リハビリテーション機器の昇段部分及び降段部分の踏み板部品は、
縞鋼板を用いたことを特徴とする、
請求項１乃至１１の何れか一に記載のリハビリテーション機器。
【手続補正２】
【補正対象書類名】明細書
【補正対象項目名】０００１
【補正方法】変更
【補正の内容】
【０００１】
本発明は、足腰の強化やリハビリテーションに利用されるリハビリテーション機器に関するものである。
【手続補正３】
【補正対象書類名】明細書
【補正対象項目名】０００８
【補正方法】変更
【補正の内容】
【０００８】
本発明は、足腰の強化やリハビリテーションに利用される機器に於いて、昇降する階段部分を有し、該階段部分は昇段部分と踊り場部分と降段部分から構成され、該階段部分及び該降段部分の踏み板は夫々角度調整が可能であり、且つ、踊り場部分の踏み板はその角度が一定であり、昇段過程及び降段過程に於いて踏み板の角度を変更することにより、対象者によって負荷の調整が可能であることを特徴とするリハビリテーション機器であ該階段部分及び該降段部分の踏み板は夫々角度調整が可能であり、且つ、踊り場部分の踏み板はその角度が一定であり、昇段過程及び降段過程に於いて踏み板の角度を変更することにより、対象者によって負荷の調整が可能である。
【手続補正４】
【補正対象書類名】明細書
【補正対象項目名】００１２
【補正方法】変更
【補正の内容】
【００１２】
また本発明は、該昇段部分と該降段部分の調整角度が異なって構成され、昇段部分の角度が降段部分の角度より大きくなるように設定されていることを特徴とする。ここで、該昇段部分の調整角度は３度乃至１０度の範囲で設定され、該降段部分の調整角度は２度乃至７．５度の範囲で設定されることが望ましい。
【手続補正５】
【補正対象書類名】明細書
【補正対象項目名】００１９
【補正方法】変更
【補正の内容】
【００１９】
本発明は、足腰の強化やリハビリテーションに利用される機器に於いて、昇降する階段部分を有し、該階段部分は昇段部分と踊り場部分と降段部分から構成され、該階段部分及び該降段部分の踏み板は夫々角度調整が可能であり、且つ、踊り場部分の踏み板はその角度が一定であり、昇段過程及び降段過程に於いて踏み板の角度を変更することにより、対象者によって負荷の調整が可能であることを特徴とするリハビリテーション機器であ該階段部分及び該降段部分の踏み板は夫々角度調整が可能であり、且つ、踊り場部分の踏み板はその角度が一定であり、昇段過程及び降段過程に於いて踏み板の角度を変更することにより、対象者によって負荷の調整が可能である。
【手続補正６】
【補正対象書類名】明細書
【補正対象項目名】００２７
【補正方法】変更
【補正の内容】
【００２７】
また本発明は、該昇段部分と該降段部分の調整角度が異なって構成され、昇段部分の角度が降段部分の角度より大きくなるように設定されていることを特徴とする。ここで、該昇段部分の調整角度は３度乃至１０度の範囲で設定され、該降段部分の調整角度は２度乃至７．５度の範囲で設定されることが望ましい。
【手続補正７】
【補正対象書類名】明細書
【補正対象項目名】００３７
【補正方法】変更
【補正の内容】
【００３７】
本実施例のリハビリテーション機器は、簡便な構成で、安全が確保され、効果的に対象者が必要とする負荷に対応して負荷の調整が可能であった。
【手続補正８】
【補正対象書類名】明細書
【補正対象項目名】００３８
【補正方法】変更
【補正の内容】
【００３８】
以上述べてきたように本発明に係るリハビリテーション機器は、簡便な構成で、安全が確保され、効果的に対象者が必要とする負荷に対応して負荷の調整が可能なリハビリテーション機器を提供することが出来、その産業上の利用可能性は大である。